(57)【要約】【課題】オストメイトにとって人工肛門用パウチの交換および廃棄はパウチから排泄物をトイレに流し、パウチ内を水で洗浄し、悪臭が出ないようにパウチを他の袋に入れて捨てなければならず、煩わしさをともなう作業であるという課題があった。【解決手段】本発明は熱水溶解素材からなる人工肛門用パウチを使用することにより、排泄物を収容したままのパウチを熱水で溶解し下水に廃棄する手段を提供することで、従来の煩わしさをともなうパウチ交換および廃棄の課題を解決している。【選択図】図１
2008086733.tif 000002
【特許請求の範囲】
【請求項１】
ドーナツ状の水溶性プラスチック板を完全溶解温度８０度以上の２枚の熱水可溶フィルム製のパネルで挟み、ドーナツ状プラスチック板の内側のフィルムを内円に沿ってヒートシールし、くり抜いて穴を開けストーマ用フランジ接続用の嵌合部とし、この２枚重ねの熱水可溶フィルムパネルにもう一枚の熱水可溶フィルムパネルを重ね、周囲を任意の形状にヒートシールすることにより形成されることを特長とする人工肛門用パウチ。
【請求項２】
ストーマ用フランジに容易に嵌合できるように半ドーナツ状の水溶性プラスチック板を２枚合わせてドーナツ状にしたことを特長とする請求項１の人工肛門用パウチ。
【請求項３】
請求項２および請求項３の人工肛門用パウチを脱着可能に外嵌し、接続部分から汚物が漏れないようにするためにパウチのドーナツ状の水溶性プラスチック板を面盤方向に抑えるリブを持つことを特徴とするゴム製または軟質プラスチック製のストーマ用フランジ。
【請求項４】
請求項２および請求項３の人工肛門用パウチを容易に脱着するためにリブにスリットを設けたことを特長とする請求項３のストーマ用フランジ。
【発明の詳細な説明】
【技術分野】
【０００１】本発明は熱水可溶フィルムとドーナツ状の水溶性プラスチック板で構成され、排泄物を収容したまま熱水で溶解した後に下水廃棄するためのストーマ用パウチおよび専用フランジに関する。
【背景技術】
【０００２】従来のストーマ用パウチは非溶解性プラスチック素材から構成され、廃棄する場合にはパウチ下部の排泄物排出口を開き、収容された排泄物をトイレに流し、パウチ内を水で洗浄し、臭いが漏れないように他の袋に包んでゴミに捨てなければならず、面倒で煩わしい作業を行わなければならない。【０００３】こうした煩わしい作業からオストメイトを開放するため、排泄物を収容したまま下水に流すストーマ用パウチに応用可能な従来技術には以下のものがある。
【特許文献１】  特開平６−１４２１２７
【特許文献２】  特開平９−１０８２５５
【特許文献３】  特開２００４−１４２４２６
【特許文献４】  特開平６−３１５４９６
【特許文献５】  特願２００５−１５１５５６以下、これら従来技術について説明する【０００４】特許文献１は排泄物と接する内側を微生物分解性のある樹脂層とし、外側を水溶性ポリビニールアルコール樹脂層の二層構造とした技術を開示している。【０００５】この技術は袋の内側の微生物分解性樹脂層が排泄物と接し、袋をトイレに投入することにより外側のポリビニールアルコール層が溶解し、排泄物を下水に排出しようとするものである。【０００６】しかし、このパウチに排泄物を長時間にわたって収容した場合にはパウチの外側に結露が発生したり、体の汗が付着したりすることもある。このため、外側の水溶性のポリビニールアルコール層が結露や汗で溶解し、排泄物が漏れ出してしまう恐れがある。さらに、微生物分解性樹脂層は直ぐに消滅することはないため、排泄物を収容したまま下水に流すと配管内で詰る恐れがある。【０００７】特許文献２は排泄物と接するパウチの内側に冷水不溶性フィルムを配し、外側に水と接触すると粘性物質を滲出する材料を用い、これをラミネートして排泄物を収容した冷水不溶性フィルムをトイレに流す技術を開示している。【０００８】この技術の冷水不溶性フィルムは常温水で溶解するポリビニールアルコールフィルムと考えられるが、ポリビニールアルコールフィルムの加水分解による溶解過程は崩壊、分散、溶解という過程をたどるのであり、完全溶解温度がトイレの水道水程度の水温であるなら崩壊温度は冷水に近いと推定できる。すなわち、この技術で作られた袋にストーマから出る排泄物を収容すると内側の冷水不溶性フィルムは直ちに崩壊し、袋が破れ排泄物が漏れ出してしまう恐れがある。【０００９】特許文献３では水溶性ポリビニールアルコール系フィルムの片面に生分解性防水層を形成する技術を開示しているが、この技術は特許文献１とほぼ同様のものであり、同様の問題点を指摘することができる。【００１０】これら前記の従来技術はいずれもトイレの水温程度で溶解するポリビニールアルコールフィルムを使用し、トイレに廃棄した際に袋の外側からフィルムを溶かして下水に廃棄する技術であるが、いずれも技術的な問題点があるだけではなくポリビニールアルコールフィルムの片面に不溶性の樹脂を積層したり、ラミネートしたりしなければならずコスト高になる問題点がある。【００１１】特許文献４は排泄物を収容したままトイレに流す技術を開示しているが、その特徴はパウチが配管内をスムースに流れる形状であり、パウチに使用する素材を溶解するための技術を開示していない。【００１２】特許文献５は熱水溶解フィルム製のポータブルトイレ用汚物処理袋であり、底部が接触しない多重底を持つこと特長としている。この技術の汚物廃棄方法は熱水でフィルムを溶解し下水に流す点で本発明と同じであるが、前記の文献１から４までと同様に排泄物を収容する上部に口のある袋状のものを想定しており、ストーマ用パウチに必要となるフランジと接続するための技術を開示していない。
【発明の開示】
【発明が解決しようとする課題】
【００１３】本発明は使用時には従来から使用されているストーマ用パウチと同様の機能性を持ち、廃棄する際には排泄物を収容したまま熱水で溶解した後、下水廃棄することが可能であり、さらにコスト面においても安価な使い捨てパウチを提供することを課題としている。【００１４】また、パウチの装着は体にフランジを貼った状態で装着するため、従来のフランジとパウチがきちんと接続されているかどうかの確認がしにくいという欠点を解決することも課題としている。
【課題を解決するための手段】
【００１５】ドーナツ状の水溶性プラスチック板を熱水可溶フィルム製のパネルで挟み、ドーナツ状プラスチック板の内側をヒートシールし、切り抜いて穴を開けストーマ用フランジの外嵌部とし、この２枚重ねの熱水可溶フィルム製パネルにもう一枚の熱水可溶フィルム製パネルを重ね、任意の袋状にヒートシールすることにより形成されることを特長とするストーマ用パウチで従来の課題を解決している。【００１６】なお、ドーナツ状の水溶性プラスチック板の素材はポリビニールアルコールを主成分とする水溶性樹脂から成型されたものを使用し、熱水可溶フィルム製パネルは熱水可溶ビニロンフィルムを使用する。【００１７】また、本発明のストーマ用パウチは従来使用されているパウチのようなフランジと接続するための接続具を持っていない。そのため、パウチを外嵌するときに柔軟性をもつゴム製または軟質プラスチック製のリブを有するフランジを必要とする。【００１８】すなわち、本発明のリブを有するフランジはリブがパウチの嵌合部を面盤方向に押さえ、排泄物の漏れやパウチがフランジから外れることを防止している。さらに、素材を柔軟性をもつゴム製または軟質プラスチック製にすることにより、パウチを外嵌する際にリブを面盤とは逆方向に曲げることによりパウチの脱着を容易にすることを可能にしている。【００１９】なお、リブにスリットを入れることにより本発明のストーマ用パウチの脱着をより容易にすることができる。
【発明の効果】
【００２０】本発明のストーマ用パウチに使用される熱水可溶ビニロンフィルムはストーマから排出される排泄物の温度では溶解しないため、一般的に使用されているプラスチックフィルム製パウチと同様の排泄物収容機能を持っている。また、本発明に使用しているドーナツ状の水溶性プラスチック板は熱水可溶ビニロンフィルムで覆われており、排泄物と直接接することはないため、使用中に水分で変形することも溶け出すこともない。【００２１】さらに、本発明のストーマ用パウチは、現在一般に使用されているパウチのようにフランジに接続するためのパウチと一体になったプラスチック製接続具が不要であるとともに、パウチをフランジに外嵌して接続するため、パウチとフランジが接続不良となる可能性は非常に低く、また、正しく接続しているかどうかの確認も容易である。【００２２】そして、使用後は排泄物を収容したままのパウチを取り外し、熱水で溶解して下水に流すことで従来からオストメイトの悩みの種であった排泄物処理やパウチ交換の煩わしさを解消することを可能にしている。なお、熱水可溶素材を溶解し下水に排出する小型の装置はすでに上市されている。
【発明を実施するための最良の形態】
【００２３】ドーナツ状の水溶性プラスチック板を二枚の熱水可溶フィルムのパネルで挟みヒートシールし、ドーナツ状の内側を溶断ヒートシールでくり抜き、フランジ嵌合部とする。なお、このとき使用するプラスチック板の素材はポリビニールアルコールを主成分とする水溶性プラスチックを用いる。また、熱水溶解フィルムは厚さ５０ミクロン以上のビニロンフィルムが適している。【００２４】このドーナツ状の水溶性プラスチック板と熱水可溶ビニロンフィルムパネルが一体になった片面パネルに、もう一枚の熱水可溶ビニロンフィルムパネルを重ね、３枚のパネルを任意の形状にヒートシールしてパウチは完成する。【００２５】また、本発明のパウチはフランジに外嵌させることを特徴としている。そのため、フランジの形状は排泄物がパウチの嵌合部から染み出さないようにドーナツ形状の水溶性プラスチック板を体方向に押さえつけるリブを持っているとともに、パウチの脱着が容易にできるようにフランジの素材はゴム製または軟質プラスチック製が望ましい。
【実施例】
【００２６】以下、本発明を実施するための最良の形態について、図面を参照して具体的に説明する。【００２７】ドーナツ状の水溶性プラスチック板１を両側から熱水可溶ビニロンフイルムのパネル２で挟み、ドーナツ状の水溶性プラスチック板の内円に沿って２枚のビニロンフィルムをヒートシール３で接合し、内側を切り取り嵌合部９とする。【００２８】これにパネル２と同じ大きさの熱水可溶ビニロンフィルムを重ね合わせ、任意の形状にヒートシール４をしてパウチは完成する【００２９】使用方法はフランジのリブ６を外側に曲げてパウチの嵌合部９に挿入することにより、パウチとフランジを嵌合させる。この構成により、フランジから排泄物を収容したままのパウチを外しそのまま排泄物処理用の熱水溶解器に投入することにより、排泄物廃棄を完了させることができる。
【図面の簡単な説明】
【００３０】
【図１】パウチをフランジに外嵌した側面図である。
【図２】パウチ外嵌部の拡大断面図である。
【図３】パウチの平面図である。
【図４】フランジの側面図である。
【符号の説明】
【００３１】１  ドーナツ状の水溶性プラスチック板
２  熱水可溶ビニロンフィルム
３  ドーナツ状内側のヒートシール
４  任意の形状のヒートシール
５  フランジ
６  フランジのリブ
７  ストーマ
８  面盤
９  パウチの嵌合部
【図１】
2008086733.tif 000003
【図２】
2008086733.tif 000004
【図３】
2008086733.tif 000005
【図４】
2008086733.tif 000006